(57)【要約】【課題】消臭・抗菌性効果に優れ、しかも半永久的に効果が得られ、また、木製のハンガーにも採用することができる衣類用ハンガーを提供する。【解決手段】中央部に吊り具２が設けられたハンガー本体１表面に、消臭・抗菌性を有する塗料を塗布することにより、消臭・抗菌性を有する塗膜層３が形成されたものであり、消臭・抗菌性を有する塗膜層３は、ハンガー本体の全面に形成する方が好ましく、ハンガー本体には木製のものを用いる方がよく、更に、天然のジルコニウム鉱石の微粉末を分散させた塗料を使用する方がより好ましい。【選択図】図１
0003127615.tif 000002
【実用新案登録請求の範囲】
【請求項１】
中央部に吊り具が設けられたハンガー本体表面に、消臭・抗菌性を有する塗料を塗布することにより、消臭・抗菌性を有する塗膜層が形成されたことを特徴とする衣類用ハンガー。
【請求項２】
消臭・抗菌性を有する塗膜層がハンガー本体の全面に形成された請求項１記載の衣類用ハンガー。
【請求項３】
ハンガー本体として木製のものを用いてなる請求項１又は請求項２記載の衣類用ハンガー。
【請求項４】
天然のジルコニウム鉱石の微粉末を分散させた塗料を使用した請求項１又は請求項２又は請求項３記載の衣類用ハンガー。
【考案の詳細な説明】
【技術分野】
【０００１】
本考案は、消臭・抗菌性に優れた衣類用ハンガーに関するものである。
【背景技術】
【０００２】
従来の衣類用ハンガーとしては、ハンガー本体が、防菌剤などが分散・混入された合成樹脂で成形されたものがある（例えば、特許文献１参照。）。
また、他の衣類用ハンガーとしては、ハンガーの吊り金具に、脱臭剤などを収納した小袋を吊り下げたものがある（例えば、特許文献２参照。）。
【特許文献１】実開平６−８６６５９号公開実用新案公報（第１図）
【特許文献１】実開平５−６８３８０号公開実用新案公報（第１図）
【考案の開示】
【考案が解決しようとする課題】
【０００３】
特許文献１の構成では、合成樹脂製のハンガー本体には、防菌剤が均一に混在されているが、防菌剤はハンガー本体内に位置するため、防菌効果がそれ程期待できないといった問題点があり、また、特許文献１のものは、当然、木製のハンガーには採用することができないといった問題点がある。
【０００４】
また、特許文献２の構成では、脱臭剤の脱臭効果がなくなれば、脱臭剤を交換する必要があり、煩雑であるといった問題点があり、また、ハンガーの吊り金具に脱臭剤の小袋を吊り下げるので、脱臭効果が衣類全体までには及ばないといった問題点もある。
【０００５】
そこで、本考案は、このような課題を解決するためになされたものであり、消臭・抗菌性効果に優れ、しかも半永久的に効果が得られ、また、木製のハンガーにも採用することができる衣類用ハンガーを提供することを目的とする。
【課題を解決するための手段】
【０００６】
本考案に係る衣類用ハンガーは、中央部に吊り具が設けられたハンガー本体表面に、消臭・抗菌性を有する塗料を塗布することにより、消臭・抗菌性を有する塗膜層が形成されたことを特徴とするものである。
【０００７】
更に、消臭・抗菌性を有する塗膜層は、ハンガー本体の全面に形成される方が好ましい。
【０００８】
また、ハンガー本体として木製のものを用いる方がよい。
【０００９】
更に、天然のジルコニウム鉱石の微粉末を分散させた塗料を使用する方がより好ましい。
【考案の効果】
【００１０】
請求項１に係る衣類用ハンガーによれば、ハンガーに衣類を掛けた状態でクローゼットに収納すると、ハンガー本体表面の消臭・抗菌性を有する塗膜層により、ハンガー本体と接触している衣類は勿論のこと、クローゼット内をも強力に消臭・抗菌を行うことができる。即ち、タバコ臭、香水臭などのなかなか消えない臭いを、スッキリ消臭することができ、更に、衣類やクローゼット内の雑菌類の繁殖を抑制、黒カビ、青カビの発生も抑えることができる。
【００１１】
請求項２に係る衣類用ハンガーによれば、ハンガー本体全体に消臭・抗菌性を有する塗膜層が形成されているので、衣類との接触面積を大きくとることができ、より消臭・抗菌性効果を発揮することができ、しかも、この塗膜層によって木製のハンガー本体の表面が保護されるため、傷や破損に強く、掛けた衣類がずれ落ちるのを防止するといった滑り止め効果をも有することとなる。
【００１２】
請求項３に係る衣類用ハンガーによれば、木製のハンガー本体を使用することで、塗料が浸透し易く、また、透明の塗料を使用することで、木のぬくもりを残して高級感をだすことができる。
【００１３】
請求項４に係る衣類用ハンガーによれば、天然のジルコニウム鉱石の微粉末を分散させた塗料が塗布され、塗膜層が形成されているため、ジルコニウム鉱石の微粉末によって、消臭・抗菌性効果を半永久的に持続することができる。
【考案を実施するための最良の形態】
【００１４】
次に、本考案の実施の形態を添付図面に基づいて説明する。
図１は、本考案の実施の形態に係る衣類ハンガーの斜視図であり、図２は、同じく、ハンガー本体表面部の拡大断面図である。
【００１５】
衣類用ハンガーＨ（以下、単にハンガーＨという）は、図１に示すように、ハンガー本体１と、該ハンガー本体１の中央部１aに設けられた吊り具２とで構成されている。
そして、ハンガー本体１は、木でできており、中央部１ａと肩部１ｂ，１ｂで構成されており、このハンガー本体１全面には、図２に示すように、消臭・抗菌性を有する塗料を塗布することにより、消臭・抗菌性を有する塗膜層３が形成されている。
【００１６】
塗膜層３を形成するために用いられている塗料としては、天然のジルコニウム鉱石の微粉末を分散させた塗料が用いられており、このジルコニウム鉱石からマイナスイオンが発生する。なお、天然のジルコニウム鉱石のかわりに、他の天然鉱石を用いることも可能であり、また、消臭・抗菌性を有する塗料としては、他の公知のものを採用することができる。
【００１７】
また、吊り具２には、金属線を折り曲げたフックが用いられている。
【００１８】
なお、上述したハンガーＨでは、塗膜層３がハンガー本体１表面の全面に形成されているが、ハンガー本体１の一部、例えば、ハンガー本体１の中央部１ａ又は肩部１ｂ，１ｂのみに形成されたものであってもよい。
また、上述したハンガーＨでは、特に、ズボンを掛けるための吊掛バーやピンチが設けられていないが、吊掛バーやピンチを有するタイプのものであってもよい。
【００１９】
以上のような構成によれば、ハンガーＨに衣類を掛けた状態でクローゼットに収納すると、ハンガー本体１表面の消臭・抗菌性を有する塗膜層３の中のジルコニウム鉱石からマイナスイオンが発生し、ハンガー本体１と接触している衣類は勿論のこと、クローゼット内をも強力に消臭・抗菌を行うことができる。即ち、タバコ臭、香水臭などのなかなか消えない臭いを、原因となる分子を電離分解することによって、スッキリ消臭することができ、更に、衣類やクローゼット内の雑菌類（大腸菌、黄色ブドウ球菌、サルモネラ菌）の繁殖を抑制、黒カビ、青カビの発生も抑えることができる。
また、ハンガーＨでは、ハンガー本体１全体に消臭・抗菌性を有する塗膜層３が形成されているので、衣類との接触面積を大きくとることができ、より消臭・抗菌性効果を発揮することができ、しかも、この塗膜層３によって木製のハンガー本体１の表面が保護されるため、傷や破損に強く、掛けた衣類がずれ落ちるのを防止するといった滑り止め効果をも有することとなる。
また、ハンガーＨでは、天然のジルコニウム鉱石の微粉末を分散させた塗料が塗布され、塗膜層３が形成されているため、ジルコニウム鉱石の微粉末によって、消臭・抗菌性効果を半永久的に持続することができる。
更に、ハンガーＨでは、木製のハンガー本体１を使用することで、塗料が浸透し易く、透明の塗料を使用することで、木のぬくもりを残して高級感をだすことができる。
なお、ハンガー本体１には、合成樹脂、金属、紙などを用いることも可能である。
【００２０】
次に、実験の結果について述べる。ハンガーＨは、ハンガー本体１の幅が４２０mm、厚みが４０mmであり、ハンガー本体１表面に、消臭・抗菌性を有する塗料として、株式会社Ｅ・Ｇ循環研究所の「イオンeg塗料」を塗布したものを１本使用する。
【００２１】
図３はアンモニア消臭試験のグラフである。試験容器が１０リットルテドラーバッグ、容積内ガス量が３リットル、アンモニア初期濃度が１００ppmであり、ガス測定方法が検知管、試験室温度が２０℃の場合の実験結果であり、図３に示すように、３０分が経過すると、アンモニア濃度が１．１ｐｐｍまで低下して、９８．９％消臭される。そして、その後も、アンモニア濃度が低下し、６時間が経過すると、ほぼ１００％消臭されることとなる。なお、空試験では、図３に示すように、アンモニア濃度がほとんど低下することはない。ここで、空試験とは、ハンガーＨを入れないで同様に操作したものである。
【００２２】
図４はタバコ臭であるアセトアルデヒド消臭試験のグラフである。試験容器が５リットルテドラーバッグ、容積内ガス量が３リットル、アセトアルデヒドのガス初期濃度が１４ppmであり、ガス測定方法が検知管、試験室温度が２０℃の場合の実験結果であり、図４に示すように、３時間が経過すると、濃度が４．０ｐｐｍまで低下し、消臭効果が得られる。なお、空試験では、図４に示すように、アセトアルデヒドの濃度が低下することはない。
【００２３】
図５は加齢臭である酢酸消臭試験のグラフである。試験容器が１０リットルテドラーバッグ、容積内ガス量が３リットル、酢酸のガス初期濃度が５０ppmであり、ガス測定方法が検知管、試験室温度が２０℃の場合の実験結果であり、図５に示すように、３０分が経過すると、濃度が８．５ｐｐｍまで低下し、１時間後では８．５ｐｐｍ、３時間後では５．０ｐｐｍ、６時間後では、濃度が３．０ｐｐｍまで低下し、消臭効果が得られる。なお、空試験では、図５に示すように、６時間が経過しても３０ppmまで低下する程度である。
これらの消臭試験により、ハンガーＨを用いることで、短時間で、優れた消臭効果を得ることが明らかである。
【図面の簡単な説明】
【００２４】
【図１】本考案の実施の形態に係る衣類用ハンガーの斜視図であり、（ａ）は上方から見た斜視図、（ｂ）は下方から見た斜視図である。
【図２】同じく、ハンガー本体表面部の拡大断面図である。
【図３】本考案の実施の形態に係る衣類用ハンガーを用いた場合の時間の経過に伴うアンモニア濃度比の変化を示すグラフである。
【図４】本考案の実施の形態に係る衣類用ハンガーを用いた場合の時間の経過に伴うアセトアルデヒド濃度比の変化を示すグラフである。
【図５】本考案の実施の形態に係る衣類用ハンガーを用いた場合の時間の経過に伴う酢酸濃度比の変化を示すグラフである。
【符号の説明】
【００２５】
１  ハンガー本体
２  吊り具
３  塗膜層
Ｈ  衣類用ハンガー
【図１】
0003127615.tif 000003
【図２】
0003127615.tif 000004
【図３】
0003127615.tif 000005
【図４】
0003127615.tif 000006
【図５】
0003127615.tif 000007